(57)【要約】      （修正有）【課題】撮影者自身の画像を反射鏡で確認しながら撮影することが可能な撮影装置で反射鏡のミラー面に傷が付きにくい構造を提供する。【解決手段】被写体を撮影する撮影レンズ１２を含む撮影手段と、撮影レンズ１２の入射側に配置され、被写体からの入射光を反射する反射鏡１１と、反射鏡１１を保持する筐体１３と、を備えた撮影装置であって、筐体１３は、反射鏡１１の表面に対して突出している突起部１３０ａを有し、撮影装置１０をテーブルの上等に、反射鏡のミラー面を下にして置いた際に、反射鏡１１のミラー面に傷が付くのを防止する。【選択図】図１
2016038450.tif 000002
【特許請求の範囲】
【請求項１】
被写体を撮影する撮影レンズを含む撮影手段と、
前記撮影レンズの入射側に配置され、前記被写体からの入射光を反射する反射鏡と、
前記反射鏡を保持する筐体と、を備えた撮影装置であって、
前記筐体は、前記反射鏡の表面に対して突出している突起部を有することを特徴とする撮影装置。
【請求項２】
前記反射鏡は、前記撮影レンズの前方に配置され、前記被写体からの入射光を前記撮影レンズに透過させる透光部を有することを特徴とする請求項１に記載の撮影装置。
【請求項３】
前記透光部は、所定の透過率と反射率を有するハーフミラーであることを特徴とする請求項２に記載の撮影装置。
【請求項４】
前記反射鏡は、所定の透過率と反射率を有するハーフミラーであることを特徴とする請求項２又は３に記載の撮影装置。
【請求項５】
前記反射鏡は、凸面鏡であることを特徴とする請求項１から４の何れか一項に記載の撮影装置。
【請求項６】
前記筐体の突起部は、当該筐体外部の仮想無限平面が前記筐体の突起部の少なくとも２点に接する際に、前記反射鏡の表面と前記仮想無限平面の間に隙間が空くように突出していることを特徴とする請求項１から５の何れか一項に記載の撮影装置。
【請求項７】
前記筐体の突起部は、前記反射鏡の長手方向に沿って延在していることを特徴とする請求項１から６の何れか一項に記載の撮影装置。
【請求項８】
前記筐体の突起部は、エラストマー、又は、シリコンゴムで構成されていることを特徴とする請求項１から７の何れか一項に記載の撮影装置。
【請求項９】
前記反射鏡に固定された板ばねを備え、
前記反射鏡は、前記筐体の突起部に対して沈み込む構造となっていることを特徴とする請求項１から８の何れか一項に記載の撮影装置。
【発明の詳細な説明】
【技術分野】
【０００１】
本発明は、撮影装置に関し、さらに詳しくは、撮影者自身の画像を反射鏡で確認しながら撮影することが可能な撮影装置に係わる。
【背景技術】
【０００２】
従来、この種の撮影装置として、被写体としての撮影者側からの一部の光を撮影者に向かって反射させ残りの光を透過させるハーフミラーと、このハーフミラーを透過する光を受光する固体撮像素子と、この固体撮像素子の受光面内に被写体の光学的像が収まるように、ハーフミラーを透過する光を収束させる光収束手段（撮影レンズ）と、固体撮像素子の受光面に生じる光学的像を電気的画像を表す画像データとして格納する記憶手段とを備えた撮影装置が知られている（例えば、特許文献１等；以下従来例という。）。
【０００３】
この撮影装置によれば、ハーフミラーに撮影者自身の画像を映し出し、リアルタイムで確認しながら好ましい撮影者自身の撮影が可能となる。
【先行技術文献】
【特許文献】
【０００４】
【特許文献１】特開２０００−２７８５６７号公報
【発明の概要】
【発明が解決しようとする課題】
【０００５】
しかしながら、上述した従来例の技術では、ハーフミラーのミラー面に傷が付きやすいという問題がある。
すなわち、上述した従来例の技術等では、ハーフミラーの表面が筐体の表面と面一となっていたり、ハーフミラーが筐体の１つの面全体に形成されていたりするので、ハーフミラーのミラー面に擦れ等によって傷が付きやすいという問題がある。
特に、撮影装置が箱形状に構成され、筐体の１つの面にハーフミラーが形成されているものでは、撮影装置をテーブルの上等に、ハーフミラーのミラー面を下にして置くと、ミラー面に傷が付きやすい。また、撮影装置を誤って落下させた場合にも、ハーフミラーが破損したり、破損されないまでもハーフミラーのミラー面に傷が付きやすいという問題がある。
【０００６】
そして、ハーフミラーのミラー面に傷が付いてしまった場合、傷が目障りとなり撮影装置自体の見栄えが損なわれるし、ハーフミラーに映し出される画像がゆがんだりする。
【０００７】
本発明は、かかる事情に鑑みてなされたものであり、反射鏡のミラー面に傷が付きにくい構造を有する撮影装置を提供することを目的とする。
【課題を解決するための手段】
【０００８】
本発明の撮影装置は、
被写体を撮影する撮影レンズを含む撮影手段と、
前記撮影レンズの入射側に配置され、前記被写体からの入射光を反射する反射鏡と、
前記反射鏡を保持する筐体と、を備えた撮影装置であって、
前記筐体は、前記反射鏡の表面に対して突出している突起部を有することを特徴とする。
【発明の効果】
【０００９】
本発明の撮影装置によれば、反射鏡の表面に対して突出する突起部を筐体が有するので、撮影装置をテーブルの上等に、反射鏡のミラー面を下にして置いたとしても、突起部がテーブルに接地するため、反射鏡のテーブルへの接地が妨げられることから、反射鏡のミラー面に傷が付くのが防止されることになる。
【図面の簡単な説明】
【００１０】
【図１】本発明の第１実施形態に係る撮影装置の前面下方から見た斜視図である。
【図２】図１の撮影装置の上面図である。
【図３】図１の撮影装置の右側面図である。
【図４】図１の撮影装置を右側面側から見た断面図である。
【図５】図１の撮影装置の接地の態様（その１）を示した図である。
【図６】図１の撮影装置の接地の態様（その２）を示した図である。
【図７】本発明の第２実施形態に係る撮影装置の模式的断面図である。
【図８】図７の撮影装置の作用を説明するための模式的断面図である。
【図９】本発明の第３実施形態に係る撮影装置の前面下方から見た斜視図である。
【発明を実施するための形態】
【００１１】
以下、本発明の一実施形態を、図１〜図６を参照して説明する。なお、以下の説明及び図においては、同一の要素には同一の符号を付し、重複する説明を省略する。また、一の実施形態の各所で説明する変形例は可能な限り他の実施形態にも適用できるものである。
【００１２】
《第１実施形態》
［構成］
図１には、第１実施形態に係る撮影装置１０の外観が示されている。この図１に示される撮影装置１０は全体が略箱形状に形成されている。この撮影装置１０は、正面視で、左右の各端部中央が少しばかり山形又は弧状に外方に膨らんではいるが、全体として略長方形となっている。
なお、本明細書において、前後、上下及び左右の各方向は図１の矢印で示した方向とする。
【００１３】
この撮影装置１０の前面中央には反射鏡１１が設けられている。この反射鏡１１は、前面視で、左右の各端部中央が少しばかり山形に膨らんではいるが、全体として略長方形となっている。この反射鏡１１は、上下対称及び左右対称に形成されている。
この反射鏡１１は、撮影装置１０の上下の突起部１３０ａ，１３０ａで挟まれる全域を占めるよう上下方向に拡がるとともに、左右方向が撮影装置１０の幅方向の約６割程度を占めるように拡がって設けられている。
【００１４】
この反射鏡１１は所定の球Ｒを有している。そして、この反射鏡１１は、図２に示すように上面視で、左右方向中央が前方に向けて膨らむように湾曲しているとともに、図３に示すように右側面視で、左右方向中央が前方に向けて膨らむように湾曲した形となっている。つまり、この反射鏡１１は、中央部に頂部を有し、且つ、前方に向けて膨らむ凸面鏡となっている。
【００１５】
ここで、この第１実施形態の撮影装置１０で、反射鏡１１として凸面鏡を用いた理由を述べれば次の通りである。
この第１実施形態の撮影装置１０では、図１及び図４に示すように、反射鏡１１の頂部の後側に撮影レンズ１２が配置されている。この場合、反射鏡１１の画角と撮影レンズ１２の画角とを近付ければ、反射鏡１１に映し出された画像に近い画角で被写体の撮影が可能となる。したがって、撮影者にとっては、反射鏡１１の画角と撮影レンズ１２の画角とを近付けることにより、撮影画像を事前に予測できるので便利である。
しかし、反射鏡１１の画角と撮影レンズ１２の画角とを近付ける場合、反射鏡１１が平面鏡であると、比較的大きな反射鏡１１が必要とされる。
これに対して、反射鏡１１を凸面鏡とすれば、前面視で同じ大きさの平面鏡の場合と比べて画角を大きくすることができる。
このことは、比較的小さな反射鏡１１で反射鏡１１の画角と撮影レンズ１２の画角とを近付けることが可能となり、反射鏡１１ひいては撮影装置１０の小型化に適したものとなることを意味している。
このような理由から、第１実施形態の撮影装置１０では、反射鏡１１を凸面鏡とし、反射鏡１１ひいては撮影装置１０の小型化を実現している。
なお、このような効果を考慮しないならば、反射鏡１１を平面鏡とすることができることは勿論である。
【００１６】
この反射鏡１１は、後側に位置する筐体１３によって支持されている。具体的には、撮影装置１０の筐体１３は前側筐体１３ａと後側筐体１３ｂと化粧パネル１３ｃとを備えており、このうち前側筐体１３ａによって反射鏡１１は支持されている。例えば、前側筐体１３ａの表面に反射鏡１１の裏面が貼り付けられている。そのため、反射鏡１１の後面に対向する前側筐体１３ａの前面も当該反射鏡１１の裏面に対応して前方に向けて膨らむ凸面となっている。
この反射鏡１１を支持する前側筐体１３ａの中央部には円形の孔１３０ｃが形成されている。そして、反射鏡１１の後側の筐体１３内には、上記孔１３０ｃに対応する領域に撮影レンズ１２が配置されている。この撮影レンズ１２としては、各種収差等をなくすため、何枚かの単レンズを互いに光軸を一致させて配置した複合レンズが使用されることが好ましい。
【００１７】
第１実施形態の撮影装置１０では、反射鏡１１は、撮影レンズ１２の前方に設けられているため、被写体を映し出す機能と、被写体からの光を撮影レンズ１２に透過させる機能とを有する必要がある。そこで、反射鏡１１としては、特に限定はされないが、全体がハーフミラーとなっているもの、又は、全反射ミラーの一部だけがハーフミラーとなっているものを使用することが好ましい。なお、本明細書において、「ハーフミラー」とは、光の透過率と反射率とが等しいものだけを意味するものではなく、光の透過と反射とが所定の比率でなされ、被写体を映し出す機能と、被写体からの光を透過させる機能とを有するものを意味している。
【００１８】
この反射鏡１１として、全体がハーフミラーとなっているものでは、被写体からの光が反射鏡１１によって一部反射されるので、その反射光によって、被写体の画像を確認することができる。また、反射鏡１１として、全体がハーフミラーとなっているものでは、被写体からの光が反射鏡１１によって一部透過されるので、その透過光によって、撮影レンズ１２を介しての撮影が可能となる。
【００１９】
一方、反射鏡１１として、全反射ミラーの一部がハーフミラーとなっているものでは、少なくとも撮影レンズ１２の前方がハーフミラーとなっていることが必要である。このような反射鏡１１を使用すれば、ハーフミラー以外の部分では、被写体からの光が全反射されるので、反射像が鮮明となって見やすくなるという利点がある。第１実施形態の撮影装置１０の反射鏡１１としては、特に限定はされないが、全反射ミラーの一部がハーフミラー（透光部１１ａ）となっているものが使用されている。なお、ここでは、反射鏡１１として、全反射ミラーの一部がハーフミラーとなっているものを紹介したが、全反射ミラーの一部がハーフミラーに代えて素通しの透光部となっているものでもよい。ただし、この素通しの透光部では、被写体からの光は反射されないため、反射鏡１１に映す被写体の画像がその素通し部分で欠損することに留意する必要がある。
【００２０】
また、筐体１３内には、図４に示すように、撮影レンズ１２の後側に固体撮像素子１５が配置されている。この固体撮像素子１５は光電変換素子であり、この固体撮像素子１５としては、例えば、ＣＣＤ（Charged Coupled Device）、ＣＭＯＳ（Complementary Metal Oxide Semiconductor）等が用いられる。この固体撮像素子１５は上記撮影レンズ１２とともに撮影手段を構成している。
なお、第１実施形態では、ディジタル撮影のための撮影装置１０について説明したが、第１実施形態は、銀塩フィルムを用いた撮影装置にも適用できることは勿論である。この場合、銀塩フィルムは撮影レンズとともに撮影手段を構成している。
【００２１】
また、筐体１３内には、撮影装置１０の電源となる電池１６が配置されている。この電池１６としては、例えば、リチウム電池が用いられる。なお、リチウム電池の代わりに、乾電池その他の電池を用いるものであってもよい。
【００２２】
また、後側筐体１３ｂにはディスプレイ１７が設けられている。このディスプレイ１７としては、例えば、ＬＣＤ（液晶ディスプレイ；Liquid Crystal Display）、有機ＥＬ（Electro-Luminescence）ディスプレイが設けられる。
このディスプレイ１７は風景写真等の通常の写真撮影をする場合に撮影前画像をモニターしたり、撮影後画像をモニターしたりする際などに使用される。
さらに、撮影装置１０の背面にはメニューキー、カーソルキー及び決定キー等の背面操作キー１８が設けられている。図４には、そのうちの１つの背面操作キー１８だけが示されている。
また、図２に示すように、撮影装置１０の上面にはシャッターキー１９及び電源キー２０が設けられ、下面には電池蓋を開閉するための摘み２１（図１参照）が設けられている。この摘み２１を操作することで電池を取り出し、電池の交換や電池の充電などを行うことが可能となっている。
なお、撮影装置１０には、反射鏡１１の外方にストロボ等の発光部２２（図１参照）、筐体１３内部に回路基板２３（図４参照）を備えている。
【００２３】
次に、本実施形態の要部である筐体突起部１３０ａ，１３０ａについて説明する。
本実施形態の筐体突起部１３０ａ，１３０ａは前側筐体１３ａと一体的に形成されている。この筐体突起部１３０ａ，１３０ａは前側筐体１３ａの前面の上下端に形成され、前側筐体１３ａの前面の左右方向全域（反射鏡１１の長手方向）に亘って延在している。この筐体突起部１３０ａ，１３０ａは、上面視又は下面視で、反射鏡１１の前面（表面）よりも前方に向けて突出するように、左右方向中央が前方に膨らむ弧状となっている。そして、筐体突起部１３０ａ，１３０ａは、筐体１３外部の仮想無限平面が筐体突起部１３０ａ，１３０ａの少なくとも２点に接する際に、反射鏡１１の表面と仮想無限平面の間に隙間が空くように突出している（図５及び図６参照）
【００２４】
このように本実施形態の撮影装置１０では、筐体突起部１３０ａ，１３０ａは前側筐体１３ａと一体成形された形で形成されていているが、前側筐体１３ａとは当初は別体で前側筐体１３ａに後付けされるものであってもよい。
この場合、筐体突起部１３０ａ，１３０ａは撮影装置１０の筐体１３と同じ材質（例えば合成ゴム、合成樹脂又は金属）から形成されていてもよいし、異なる材質で形成されていてもよい。例えば、筐体１３は合成樹脂製又は金属製で、筐体突起部１３０ａ，１３０ａはエラストマーやシリコンゴム等の弾性材で形成されていてもよい。このように筐体突起部１３０ａ，１３０ａが弾性材で構成されている場合には、撮影装置１０を誤ってテーブル等に落としたときでも、弾性材が衝撃を吸収し、反射鏡１１その他の部品の破損を防止することが可能となる。
【００２５】
続いて、筐体突起部１３０ａ，１３０ａの個数、突出量及び形成範囲について説明する。
この筐体突起部１３０ａ，１３０ａの個数、突出量及び形成範囲は、撮影装置１０の反射鏡１１が形成された面側が仮想無限平面に当接したとした場合、いかなる態様で当接したとしても反射鏡１１の表面が仮想無限平面に当接することがないように決定されている。この場合の「仮想無限平面」はテーブル面等の平らな面を想定したものである。
第１実施形態の撮影装置１０の場合には、撮影装置１０の反射鏡１１が形成された面側が例えばテーブル面に接地する場合として、図５に示すように撮影装置１０の左右中央が接地する態様と、図６に示すように撮影装置１０の左右方向一端側が接地する態様とが考えられる。第１実施形態の筐体突起部１３０ａ，１３０ａの個数、突出量及び形成範囲は、いずれの態様においても、筐体突起部１３０ａ，１３０ａだけがテーブル面に接地するように決定されている。
【００２６】
このように、第１実施形態の撮影装置１０は、撮影装置１０の反射鏡１１が形成された面側が例えばテーブル面に接地する場合、筐体突起部１３０ａ，１３０ａ以外の部分は接地しない構造となっている。しかし、筐体突起部１３０ａ，１３０ａの形成範囲を左右方向で短くし、撮影装置１０の左右方向一端側が接地する場合、筐体突起部１３０ａ，１３０ａと化粧パネル１３ｃの一部とが同時に接地して反射鏡１１の表面の接地を阻止するように構成されていてもよい。
【００２７】
また、第１実施形態の撮影装置１０においては、筐体突起部１３０ａ，１３０ａは反射鏡１１の長手方向に沿って連続的に形成されているが、反射鏡１１の短手方向に沿って連続的に形成されていてもよい。なお、筐体突起部１３０ａ，１３０ａは反射鏡１１の長手方向及び短手方向の双方に沿って連続的に形成されていてもよい。
ここで、反射鏡１１が長辺及び短辺を有する凸面鏡で、筐体突起部１３０ａ，１３０ａを反射鏡１１の長手方向及び短手方向の一方に沿って形成する場合、反射鏡１１の短手方向に沿ってではなく、反射鏡１１の長手方向に沿って形成することが好ましい。反射鏡１１の中央の頂点を基準とした場合、反射鏡１１の短手方向端部の撓み量は、反射鏡１１の長手方向端部の撓み量に比べて小さいので、ハーフミラーの短手方向外方となる位置に筐体突起部１３０ａ，１３０ａを設ければ、筐体突起部１３０ａ，１３０ａの反射鏡１１のミラー面からの突出量を小さくすることができるからである。
【００２８】
また、第１実施形態の撮影装置１０においては、筐体突起部１３０ａ，１３０ａは反射鏡１１の長辺（長手方向）に沿って連続的に形成されているが、所定の間隔で複数形成されていてもよい。必要なのは、撮影装置１０の反射鏡１１が形成された面側が仮想無限平面に当接したとした場合、いかなる態様で当接したとしても反射鏡１１の表面が仮想無限平面に当接しないように決定されていることである。
【００２９】
［作用及び効果］
このように構成された撮影装置１０によれば次のような作用及び効果が得られる。
すなわち、撮影装置１０は反射鏡１１の表面に対して突出する筐体突起部１３０ａ，１３０ａを有するので、撮影装置１０をテーブルの上等に、反射鏡１１のミラー面を下にして置いたとしても、筐体突起部１３０ａ，１３０ａがテーブル面に接地するため、反射鏡１１のテーブル面への接地が妨げられることから、反射鏡１１のミラー面に傷が付くのが防止されることになる。
【００３０】
《第２実施形態》
図７及び図８には、第２実施形態に係る撮影装置１０Ａの上面側から見た場合の断面図が示されている。
この第２実施形態の撮影装置１０Ａでは、反射鏡１１を支持する前側筐体１３ａが付勢部材３０によって前方に向けて付勢された構造となっている。そして、反射鏡１１は表面側から外圧が加わった場合、筐体突起部１３０ａ，１３０ａに対して沈み込む構造となっている。突起部に対して沈み込む構造となっているこの第２実施形態では、付勢部材３０として板ばねを使用している。そして、板ばねの一端は筐体１３に固定され、板ばねの他端に反射鏡１１が例えば両面テープにて貼り付けられている。なお、板ばねに代えて、コイルばねや、合成ゴムその他の弾性材を用いてもよい。
この第２実施形態の撮影装置１０Ａのその他の構成は第１実施形態の撮影装置１０と同様となっているため、図示及び説明を適宜省略する。
【００３１】
この第２実施形態の撮影装置１０Ａは、第１実施形態の撮影装置１０と同様に、筐体突起部１３０ａ，１３０ａを有している。この筐体突起部１３０ａ，１３０ａは、上面視又は下面視で、反射鏡１１の前面（表面）よりも前方に向けて突出するように、左右方向中央が前方に膨らむ弧状となっている。そして、筐体突起部１３０ａ，１３０ａは、筐体１３外部の仮想無限平面が筐体突起部１３０ａ，１３０ａの少なくとも２点に接する際に、反射鏡１１の表面と仮想無限平面の間に隙間が空くように突出している。
したがって、この第２実施形態の撮影装置１０Ａによれば、撮影装置１０Ａの落下時など衝撃が加わった場合でも、筐体突起部１３０ａ，１３０ａによって反射鏡１１が保護される上に、仮に、反射鏡１１が衝撃によって撓んで接地したとしても、付勢部材３０によって衝撃が緩和されるので、反射鏡１１に傷が付くのを可及的に防止することができる。
したがって、この第２実施形態によれば、第１実施形態の場合に比べて、突起部の突出量を小さくすることができる。
また、落下時の衝撃による反射鏡１１の破損を防止することができる。
【００３２】
《第３実施形態》
図９には、第３実施形態に係る撮影装置１０Ｂの外観が示されている。
この第３の実施形態の撮影装置１０Ｂが第１の実施形態の撮影装置１０と異なる点は、反射鏡１１Ｂ全体が全反射ミラーとなっており、撮影レンズ１２は発光部２２（図１参照）に代えて或いは発光部２２に加えて反射鏡１１Ｂの外方に設けられていることである。
この第３実施形態の撮影装置１０Ｂのその他の構成は第１実施形態の撮影装置１０と同様となっているため、図示及び説明を適宜省略する。
【００３３】
この第３実施形態の撮影装置１０Ｂは、第１実施形態の撮影装置１０と同様に筐体突起部１３０ａ，１３０ａを有している。この筐体突起部１３０ａ，１３０ａは、上面視又は下面視で、反射鏡１１Ｂの前面（表面）よりも前方に向けて突出するように、左右方向中央が前方に膨らむ弧状となっている。そして、筐体突起部１３０ａ，１３０ａは、筐体１３外部の仮想無限平面が筐体突起部１３０ａ，１３０ａの少なくとも２点に接する際に、反射鏡１１の表面と仮想無限平面の間に隙間が空くように突出している。
したがって、このように構成された撮影装置１０Ｂによれば、第１実施形態の撮影装置１０と同様の効果が得られる。
【００３４】
以上、本発明の実施形態について説明したが、本発明は、かかる実施形態に限定されず、その要旨を逸脱しない範囲で種々の変形が可能であることはいうまでもない。
【００３５】
以下に、この出願の願書に最初に添付した特許請求の範囲に記載した発明を付記する。
付記に記載した請求項の項番は、この出願の願書に最初に添付した特許請求の範囲の通りである。
【００３６】
［付記］
＜請求項１＞
被写体を撮影する撮影レンズを含む撮影手段と、
前記撮影レンズの入射側に配置され、前記被写体からの入射光を反射する反射鏡と、
前記反射鏡を保持する筐体と、を備えた撮影装置であって、
前記筐体は、前記反射鏡の表面に対して突出している突起部を有することを特徴とする撮影装置。
＜請求項２＞
前記反射鏡は、前記撮影レンズの前方に配置され、前記被写体からの入射光を前記撮影レンズに透過させる透光部を有することを特徴とする請求項１に記載の撮影装置。
＜請求項３＞
前記透光部は、所定の透過率と反射率を有するハーフミラーであることを特徴とする請求項２に記載の撮影装置。
＜請求項４＞
前記反射鏡は、所定の透過率と反射率を有するハーフミラーであることを特徴とする請求項２又は３に記載の撮影装置。
＜請求項５＞
前記反射鏡は、凸面鏡であることを特徴とする請求項１から４の何れか一項に記載の撮影装置。
＜請求項６＞
前記筐体の突起部は、当該筐体外部の仮想無限平面が前記筐体の突起部の少なくとも２点に接する際に、前記反射鏡の表面と前記仮想無限平面の間に隙間が空くように突出していることを特徴とする請求項１から５の何れか一項に記載の撮影装置。
＜請求項７＞
前記筐体の突起部は、前記反射鏡の長手方向に沿って延在していることを特徴とする請求項１から６の何れか一項に記載の撮影装置。
＜請求項８＞
前記筐体の突起部は、エラストマー、又は、シリコンゴムで構成されていることを特徴とする請求項１から７の何れか一項に記載の撮影装置。
＜請求項９＞
前記反射鏡に固定された板ばねを備え、
前記反射鏡は、前記筐体の突起部に対して沈み込む構造となっていることを特徴とする請求項１から８の何れか一項に記載の撮影装置。
【符号の説明】
【００３７】
１０，１０Ａ，１０Ｂ      撮影装置
１１，１１Ｂ      反射鏡
１２      撮影レンズ
１３      筐体
１３０ａ      筐体突起部
【図１】
2016038450.tif 000003
【図２】
2016038450.tif 000004
【図３】
2016038450.tif 000005
【図４】
2016038450.tif 000006
【図５】
2016038450.tif 000007
【図６】
2016038450.tif 000008
【図７】
2016038450.tif 000009
【図８】
2016038450.tif 000010
【図９】
2016038450.tif 000011